(57)【要約】【課題】  瞬時に大きく展開して威嚇効果を発揮すると同時に、防犯スプレーを熊等の野生動物に噴射することで、熊、野犬、猪等の野生動物に対する威嚇をすると共に、その攻撃を防御する。【解決手段】  傘形状のステッキ本体１の中棒８内に収容したスプリングの付勢力を利用して、握柄４に取り付けた展開ボタン１を押して親骨２と共に展開シート３を自動的に展開させるジャンプ機構と、握柄４に取り付けた、液化防犯ガスを充填した防犯スプレーのボンベ５と、石突６に装着した、ボンベ５からの防犯ガスを噴射させる噴射ノズル７と、を備えた。【選択図】  図２
2006121977.tif 000002
【特許請求の範囲】
【請求項１】
握柄（４）に連続した中棒（８）の先端近傍に、展開自在に取り付けた複数本の親骨（２）と、該親骨（２）を中棒（８）とで支える支持骨（９）と、これらの複数本の親骨（２）に張り付けた展開シート（３）と、前記中棒（８）の先端部に取り付けた石突（６）とから成る傘形状のステッキ本体（１）と、
前記ステッキ本体（１）の中棒（８）内に収容したスプリングの付勢力を利用して、握柄（４）に取り付けた展開ボタン（１０）を押して親骨（２）と共に展開シート（３）を自動的に展開させるジャンプ機構と、
前記握柄（４）に取り付けた、液化防犯ガスを充填した防犯スプレーのボンベ（５）と、
前記石突（６）に装着した、前記ボンベ（５）からの防犯ガスを噴射させる噴射ノズル（７）と、を備えた、ことを特徴とする野生動物撃退ステッキ。
【請求項２】
前記防犯スプレーボンベ（５）を、前記握柄（４）の内部に収納した、ことを特徴とする請求項１の野生動物撃退ステッキ。
【請求項３】
前記噴射ノズル（７）に、前記防犯スプレーのボンベ（５）のバルブをチューブ（１１）で連結した、ことを特徴とする請求項１の野生動物撃退ステッキ。
【請求項４】
前記展開シート（３）に、熊、野犬、猪等の野生動物を威嚇する効果を有する図柄（１３）を施した、ことを特徴とする請求項１の野生動物撃退ステッキ。
【請求項５】
前記展開シート（３）の図柄（１３）が目玉を模したものである、ことを特徴とする請求項４の野生動物撃退ステッキ。
【請求項６】
握柄（４）に連続した中棒（８）の先端近傍に、展開自在に取り付けた複数本の親骨（２）と、該親骨（２）を中棒（８）とで支える支持骨（９）と、これらの複数本の親骨（２）に張り付けた展開シート（３）と、前記中棒（８）の先端部に取り付けた石突（６）とから成る傘形状のステッキ本体（１）と、
前記ステッキ本体（１）の中棒（８）内に収容したスプリングの付勢力を利用して、握柄（４）に取り付けた展開ボタン（１０）を押して親骨（２）と共に展開シート（３）を自動的に展開させるジャンプ機構と、
前記石突（６）に設けた、液化防犯ガスを充填した防犯スプレーのボンベ（５）を着脱自在に保持する保持具（１４）と、
前記保持具（１４）に取り付けた前記防犯スプレーのボンベ（５）の噴射ボタン（１９）を押圧する噴射機構（１６）と、を備えた、ことを特徴とする野生動物撃退ステッキ。
【請求項７】
前記噴射機構（１６）は、
前記握柄（４）に取り付けた噴射トリガ（１２）の作動でワイヤ（１７）を引っ張ると、前記石突（６）に回動自在に取り付けた略Ｌ字形状の噴射ボタン押圧具（１８）が、前記防犯スプレーのボンベ（５）の噴射ボタン（１９）を押圧するように回動する構成である、ことを特徴とする請求項６の野生動物撃退ステッキ。
【発明の詳細な説明】
【技術分野】
【０００１】
本発明は、熊、野犬又は猪等の野生動物からの攻撃を防御するときに使用する野生動物撃退ステッキに関するものである。
【背景技術】
【０００２】
近年山間地の土木設備を巡視する作業者は、熊、野犬又は猪等の攻撃性のある野生動物に遭遇することが多くなった。特に、熊は身体に危害を加えるおそれが高いので、作業者は熊と遭遇した場合の予防措置として、熊除けスプレーを所持している。例えば、作業者は、熊と遭遇したときに、リュックサックから熊除けスプレーを取り出して熊に向けて噴射して防御していた。
【０００３】
このように、何らかの攻撃から自己の身を守るために、スプレーを用いて防御する技術が提案されている。例えば、特許文献１の特開２００４−７７０２６「催涙スプレー付き盾」に示すように、平板状又は湾曲板状の板材から成る盾本体の裏面に取っ手と加圧ガスボンベ内に液化催涙ガスを充填した催涙スプレーの取付部を設けた催涙スプレー付き盾が提案されている。これは催涙スプレーには催涙ガス噴射ボタンと該ボタンの押圧により催涙ガスを噴射する催涙ガス噴射ノズルを設け、該催涙ガス噴射ノズルから出た催涙ガスが盾本体の表面側から噴出する開口部を盾本体に設けたことに特徴を有するものである。
【特許文献１】特開２００４−７７０２６
【発明の開示】
【発明が解決しようとする課題】
【０００４】
しかし、上記従来の熊除けスプレーでは、実際に熊と遭遇した際に、熊除けスプレーがリュックサック内にあるので、その取り出しに時間がかかるため、この熊除けスプレーで熊等を撃退するまでには至らず、逃げることで精一杯であった。そのために、この熊除けスプレーは、急に襲われた場合の確実な対処方法として不十分であるという問題があった。
【０００５】
また、特許文献１の「催涙スプレー付き盾」は、盾本体に催涙スプレーを一体化して取り付けたもので、盾および催涙スプレーのそれぞれ固有の機能を併せ持つことができ、防護用装置としての機能性が高いが、巡視作業者が携帯して山間部において持ち歩くことには不向きであるという問題があった。
【０００６】
本発明は、かかる問題点を解決するために創案されたものである。すなわち、本発明の目的は、瞬時に大きく展開して威嚇効果を発揮すると同時に、防犯スプレーを熊等の野生動物に噴射することで、熊等の野生動物を威嚇すると共に、その攻撃を防御することができる野生動物撃退ステッキを提供することにある。
【０００７】
本発明によれば、握柄（４）に連続した中棒（８）の先端近傍に、展開自在に取り付けた複数本の親骨（２）と、該親骨（２）を中棒（８）とで支える支持骨（９）と、これらの複数本の親骨（２）に張り付けた展開シート（３）と、前記中棒（８）の先端部に取り付けた石突（６）とから成る傘形状のステッキ本体（１）と、前記ステッキ本体（１）の中棒（８）内に収容したスプリングの付勢力を利用して、握柄（４）に取り付けた展開ボタン（１０）を押して親骨（２）と共に展開シート（３）を自動的に展開させるジャンプ機構と、前記握柄（４）に取り付けた、液化防犯ガスを充填した防犯スプレーのボンベ（５）と、前記石突（６）に装着した、前記ボンベ（５）からの防犯ガスを噴射させる噴射ノズル（７）と、を備えた、ことを特徴とする野生動物撃退ステッキが提供される。
【０００８】
前記防犯スプレーボンベ（５）を、前記握柄（４）内に収納した。前記噴射ノズル（７）に、前記防犯スプレーのボンベ（５）のバルブをチューブ（１１）で連結した。
前記展開シート（３）に、熊等の野生動物を威嚇する効果を有する図柄（１３）を施す。前記展開シート（３）の図柄（１３）が目玉を模したものである。
【０００９】
また、本発明の野生動物撃退ステッキは、握柄（４）に連続した中棒（８）の先端近傍に、展開自在に取り付けた複数本の親骨（２）と、該親骨（２）を中棒（８）とで支える支持骨（９）と、これらの複数本の親骨（２）に張り付けた展開シート（３）と、前記中棒（８）の先端部に取り付けた石突（６）とから成る傘形状のステッキ本体（１）と、前記ステッキ本体（１）の中棒（８）内に収容したスプリングの付勢力を利用して、握柄（４）に取り付けた展開ボタン（１０）を押して親骨（２）と共に展開シート（３）を自動的に展開させるジャンプ機構と、前記石突（６）に設けた、液化防犯ガスを充填した防犯スプレーのボンベ（５）を着脱自在に保持する保持具（１４）と、前記保持具（１４）に取り付けた前記防犯スプレーのボンベ（５）の噴射ボタン（１９）を押圧する噴射機構（１６）と、を備えたものにすることができる。
例えば、前記噴射機構（１６）は、前記握柄（４）に取り付けた噴射トリガ（１２）の作動でワイヤ（１７）を引っ張ると、前記石突（６）に回動自在に取り付けた略Ｌ字形状の噴射ボタン押圧具（１８）が、前記防犯スプレーのボンベ（５）の噴射ボタン（１９）を押圧するように回動するように構成したものである。
【発明の効果】
【００１０】
上記構成の発明では、本発明の野生動物撃退ステッキについて、巡視する作業者はステッキのように容易に持ち歩くことができるので、突然の熊等の野生動物からの襲撃時に迅速に対応することができる。即ち、従来の熊除けスプレーのようにリュックサックに入れず、常時手に携えているので瞬時の対応が可能となる。
野生動物が襲撃してきたときは、先ず、握柄（４）に取り付けた展開ボタン（１０）を押して、親骨（２）を展開させて展開シート（３）を大きく広げる。この展開した展開シート（３）には大きく目立つ目玉の図柄（１３）が施してあるので、これで野生動物を威嚇することができる。特に、中棒（８）内に収容したスプリングの付勢力を利用して、ジャンプ傘のようにワンタッチで開ける構造であるので、野生動物の目前で図柄（１３）が瞬時に展開するので野生動物への脅し効果が高い。
次に、握柄（４）の手元の操作で、石突（６）に装着した噴射ノズル（７）からボンベ（５）内の防犯ガスを噴射させ、この防犯ガスによって野生動物を撃退することができる。例えば、この防犯ガスによる不快な臭い、激しい咳、くしゃみ、目や鼻や喉の痛みを熊に与えて襲撃の気勢を低減させ、作業者はその場から逃げる時間を作ることができる。
【００１１】
石突（６）に液化防犯ガスを充填した防犯スプレーのボンベ（５）を着脱自在に保持する保持具（１４）を設けた野生動物撃退ステッキでは、このステッキ本体（１）に市販の催涙ガススプレーを取り付けることができるので、本発明の野生動物撃退ステッキの汎用性が高くなる。
【発明を実施するための最良の形態】
【００１２】
本発明の野生動物撃退ステッキは、展開シート、握柄、中棒と石突とから成る傘形状のステッキ本体と、中棒内に収容したスプリングの付勢力を利用して、握柄に取り付けた展開ボタンを押して親骨と共に展開シートを自動的に展開させるジャンプ機構と、握柄に取り付けた防犯スプレーのボンベと、石突に装着した噴射ノズルとを備えたものである。展開シートを瞬時に広げることができ、更に攻撃してくる熊等の野生動物に噴射ノズルから防犯ガスを噴射することができるようになっている。
【実施例１】
【００１３】
以下、本発明の好ましい実施の形態を図面を参照して説明する。
図１は実施例１の野生動物撃退ステッキを示すものであり、（ａ）は展開シートを閉じた状態の側面図、（ｂ）は展開シートを広げた状態の正面図である。図２は実施例１の野生動物撃退ステッキの展開シートを広げた状態の側断面図である。図３は噴射ノズル部分の拡大断面図である。図４はボンベを収納した握柄の拡大断面図である。
本発明の野生動物撃退ステッキは、傘形状のステッキ本体１と、親骨２と共に展開シート３を自動的に展開させるジャンプ機構と、握柄４に取り付けた、液化防犯ガスを充填した防犯スプレーのボンベ５と、石突６に装着した噴射ノズル７とを備えたものである。図１（ａ）に示すように本発明を、ステッキ形状にしたのは、従来より山間地を巡視する作業者は常にステッキを持ち歩いているので、携帯しやすいからである。
【００１４】
ステッキ本体１は、握柄４に連続した中棒８の先端近傍に、展開自在に取り付けた複数本の親骨２と、親骨２を中棒８とで支える支持骨９と、これらの複数本の親骨２に張り付けた展開シート３と、中棒８の先端部に取り付けた石突６とから成る傘形状のものである。なお、図１（ｂ）の実施例では、８本の親骨２を示しているが、この本数に限定されず、１０本、１２本といった適当な本数で構成することができる。但し、本発明は後述するように、展開シート３を瞬時に開かせることに重要な意義があるので、４本、３本といった極端に少ない本数であると、中棒８に巻き付けた展開シート３が開きにくくなるおそれがある。そこで、展開シート３が開く早さと、携帯する際のステッキ本体１の重量の点などを考慮すると、実施例の８本が最適であった。
【００１５】
ジャンプ機構（図示していない）は、ステッキ本体１の中棒８内に収容したスプリングの付勢力を利用して、握柄４に取り付けた展開ボタン１０を押して親骨２と共に展開シート３を自動的に展開させる機構である。例えば、このジャンプ機構は、中棒８に補助受骨とスプリングとスプリング収容ろくろを付け加え、このスプリングを中棒８の石突６側に常時付勢されているように構成したものである。
このジャンプ機構は、展開シート３を閉じる場合には、スプリングの付勢力に抗してスプリング収容ろくろを中棒８に沿って握柄４側にスライドさせ、スプリング収容ろくろの係止孔を、後述する展開ボタン１０に係止させ、展開シート３を閉じた状態にする。
一方、展開シート３を開く場合には、展開ボタン１０を押すと、スプリングの付勢力により、スプリング収容ろくろが中棒８に沿って石突６側にスライドすると共に、補助受骨を介して親骨２を開き、展開シート３を開くことができる。
【００１６】
実施例１の野生動物撃退ステッキは、図４に示すように、ステッキ本体１の握柄４に液化防犯ガスを充填した防犯スプレーのボンベ５を取り付けている。この液化防犯ガスは、石突６に装着した噴射ノズル７にチューブ１１で連結して、このボンベ５のバルブを「開」にして噴射させるようになっている。特に、本発明では、握柄４にこのボンベ５のバルブの開閉を行う噴射トリガ１２を取り付けているので、展開シート３の展開と、防犯スプレーの噴射を握柄４といった手元操作で同時かつ容易に操作できるようになっている。
【００１７】
図５は本発明の野生動物撃退ステッキの使用方法を示す説明図であり、（ａ）は展開シートを広げる状態、（ｂ）は広げた展開シートを野性動物に向けると共に噴射トリガを引く状態、（ｃ）は防犯ガスを噴射させる状態である。
熊等の野生動物が襲撃してきたときは、図５（ａ）に示すように、先ず、握柄４に取り付けた展開ボタン１０を押して、親骨２を展開させて展開シート３を大きく広げる。この展開した展開シート３に大きく目立つ目玉の図柄１３が施してあるので、これで熊等の野生動物を威嚇することができる。特に、中棒８内に収容したスプリングの付勢力を利用して、ジャンプ傘のようにワンタッチで開ける構造であり、野生動物の目前で図柄１３が瞬時に展開するので野生動物への脅し効果が高い。
本発明の野生動物撃退ステッキは、巡視の際にステッキのように容易に持ち歩くことができるので、突然の野生動物の襲撃時に迅速に対応することができる。即ち、従来の熊除けスプレーのようにリュックサックに入れず、手に携えているので瞬時の対応が可能となる。
【００１８】
次に、図５（ｂ）に示すように、広げた展開シート３を熊に向けると共に噴射トリガ１２を引くと、石突６に設けた噴射ノズル７からボンベ５内の防犯ガスを噴射させて、この防犯ガスによって熊を撃退する（図５（ｃ）参照）。例えば、この防犯ガスによる不快な臭い、激しい咳、くしゃみ、目や鼻や喉の痛みを野生動物に与えて襲撃の気勢を低減させ、使用者はその場から逃げる時間を作ることができる。防犯ガスとしては、催涙ガスの他に唐辛子ガス、マスタードガス等を用いる。更には、野生動物が忌避する他の動物の排泄物の匂い物質等の忌避剤を用いることも可能である。
【００１９】
図６は展開シートの図柄の一例を示すものである。
展開シート３には、熊等の野生動物を威嚇する効果を有する図柄１３を施す。例えば展開シート３の図柄１３を、石突６を中心にして黒色Ｂ（斜線部分）、その周囲に赤色Ｒ（縦線部分）、更に黄色Ｙ（横線部分）のように、目玉を模したものを施す。この図柄１３は、野生動物を威嚇する効果があるものであればこの目玉模様に限定されない。
また、展開シート３は、例えば透明ビニール材や布地を用いる。但し、噴射した防犯ガスが使用者（作業者）側に風で押し戻されないように、通風性のあるシート材以外であれば種々の素材のものを利用することができる。
【実施例２】
【００２０】
図７は実施例２の野生動物撃退ステッキの展開シートを展開した状態の断面図である。
本発明の実施例２の野生動物撃退ステッキでは、石突６に液化防犯ガスを充填した防犯スプレーのボンベ５を着脱自在に保持する保持具１４を設けることにより、市販の催涙ガススプレーを取り付け可能になっている。野生動物撃退ステッキに対する防犯スプレーのボンベ５の交換が容易になる。また、保持具１４は、防犯スプレーのボンベ５を着脱自在に装着できるように、支え腕１５を石突６から突出させたものである。この支え腕１５に代えてベルト状の部材に代えることも可能である。
【００２１】
図８は実施例２の野生動物撃退ステッキの噴射機構を示す拡大図である。
実施例２の野生動物撃退ステッキの噴射機構１６は、握柄４に取り付けた噴射トリガ１２の作動でワイヤ１７を引っ張ると、石突６に回動自在に取り付けた略Ｌ字形状の噴射ボタン押圧具１８が、防犯スプレーのボンベ５の噴射ボタン１９を押圧するように回動するように構成したものである。これにより、市販の防犯スプレーのボンベ５を握柄４の手元操作で容易に噴射させることができる。
【００２２】
なお、本発明は、瞬時に大きく展開して威嚇効果を発揮すると同時に、防犯スプレーを熊等の野生動物に噴射することができる構成のものであれば、上述した発明の実施の形態に限定されず、本発明の要旨を逸脱しない範囲で種々変更できることは勿論である。
【産業上の利用可能性】
【００２３】
本発明の野生動物撃退ステッキは、近年山間地の土木設備を巡視する作業者が、熊、野犬、猪等の野生動物に遭遇したときに利用することができる。更に、市街地における痴漢や暴漢を撃退するときにも利用することができる。
【図面の簡単な説明】
【００２４】
【図１】実施例１の野生動物撃退ステッキを示すものであり、（ａ）は展開シートを閉じた状態の側面図、（ｂ）は展開シートを広げた状態の正面図である。
【図２】実施例１の野生動物撃退ステッキの展開シートを広げた状態の側断面図である。
【図３】噴射ノズル部分の拡大断面図である。
【図４】ボンベを収納した握柄の拡大断面図である。
【図５】本発明の野生動物撃退ステッキの使用方法を示す説明図であり、（ａ）は展開シートを広げる状態、（ｂ）は広げた展開シートを野性動物に向けると共に噴射トリガを引く状態、（ｃ）は防犯ガスを噴射させる状態である。
【図６】展開シートの図柄の一例を示すものである。
【図７】実施例２の野生動物撃退ステッキの展開シートを展開した状態の断面図である。
【図８】実施例２の野生動物撃退ステッキの噴射機構を示す拡大図である。
【符号の説明】
【００２５】
１  ステッキ本体
２  親骨
３  展開シート
４  握柄
５  防犯スプレーのボンベ
６  石突
７  噴射ノズル
８  中棒
１０  展開ボタン
１１  チューブ
１２  噴射トリガ
１３  図柄
１４  保持具
１６  噴射機構
１７  ワイヤ
１８  噴射ボタン押圧具
１９  噴射ボタン
【図１】
2006121977.tif 000003
【図２】
2006121977.tif 000004
【図３】
2006121977.tif 000005
【図４】
2006121977.tif 000006
【図５】
2006121977.tif 000007
【図６】
2006121977.tif 000008
【図７】
2006121977.tif 000009
【図８】
2006121977.tif 000010